(57)【要約】      （修正有）【課題】表示板の表面の艶と、表示板の光拡散性との両立が可能な指示計器装置を提供する。【解決手段】表示板２２は、透光性基板５１と、透光性基板５１の前面に形成された第一のシボ層５２と、透光性基板５１の後面に形成された第二のシボ層５３と、第二のシボ層５３の後面に形成された着色層５５，５６とを有する。第二のシボ層５３の表面粗さは、第一のシボ層５２の表面粗さよりも小さい。第一のシボ層５２には、着色層が形成されていない。【選択図】図３
2015082106.tif 000002
【特許請求の範囲】
【請求項１】
透光性基板と、前記透光性基板の前面に形成された第一のシボ層と、前記透光性基板の後面に形成された第二のシボ層と、前記第二のシボ層の後面に形成された着色層と、を有し、前記第二のシボ層の表面粗さは、前記第一のシボ層の表面粗さよりも小さいことを特徴とする表示板。
【請求項２】
前記第一のシボ層には、着色層が形成されていないことを特徴とする請求項１に記載の表示板。
【請求項３】
指標部を有する表示板と、前記表示板を透過照明する発光素子と、前記表示板の前記指標部を指示する指針と、前記指針を回動させる指針駆動部と、を備えた指示計器装置であって、
前記表示板は、透光性基板と、前記透光性基板の前面に形成された第一のシボ層と、前記透光性基板の後面に形成された第二のシボ層と、前記第二のシボ層の後面に形成された着色層と、を有し、前記第二のシボ層の表面粗さは、前記第一のシボ層の表面粗さよりも小さいことを特徴とする指示計器装置。
【請求項４】
前記第一のシボ層には、着色層が形成されていないことを特徴とする請求項３に記載の指示計器装置。
【発明の詳細な説明】
【技術分野】
【０００１】
本発明は、表示板及び指示計器装置に関するものである。
【背景技術】
【０００２】
従来より、表示板を指針にて指示する指示計器装置が種々提案されており、例えば特許文献１に開示されている。斯かる指示計器装置の表示板は、透光性基板の後面に、指針に指示される指標部を印刷形成したものである。表示板は、光拡散性を確保するため、前面にシボ面（微細な凹凸面）が形成されている。
【先行技術文献】
【特許文献】
【０００３】
【特許文献１】実開昭５７−８５１５号公報
【発明の概要】
【発明が解決しようとする課題】
【０００４】
しかしながら、表示板の光拡散性を確保するために、シボ面の表面粗さを大きくすると、表示板の表面に艶がなくなってしまうという問題を有していた。
本発明は、この問題に鑑みなされたものであり、表示板の表面の艶と、表示板の光拡散性との両立が可能な指示計器装置を提供するものである。
【課題を解決するための手段】
【０００５】
本発明は、透光性基板５１と、前記透光性５１の前面に形成された第一のシボ層５２と、前記透光性基板５１の後面に形成された第二のシボ層５３と、前記第二のシボ層５３の後面に形成された着色層５５，５６と、を有し、前記第二のシボ層５３の表面粗さは、前記第一のシボ層５２の表面粗さよりも小さいものである。
【０００６】
また、本発明は、前記第一のシボ層５２には、着色層が形成されていないものである。
【０００７】
また、本発明は、指標部２２ａを有する表示板２２と、前記表示板２２を透過照明する発光素子２８と、前記表示板２２の前記指標部２２ａを指示する指針２５と、前記指針２５を回動させる指針駆動部２６と、を備えた指示計器装置であって、前記表示板２２は、透光性基板５１と、前記透光性基板５１の前面に形成された第一のシボ層５２と、前記透光性基板５１の後面に形成された第二のシボ層５３と、前記第二のシボ層５３の後面に形成された着色層５５，５６と、を有し、前記第二のシボ層５３の表面粗さは、前記第一のシボ層５２の表面粗さよりも小さいものである。
【０００８】
また、本発明は、前記第一のシボ層５２には、着色層が形成されていないものである。
【発明の効果】
【０００９】
透光性基板の前後にシボ層を形成したことにより、表示板の艶、及び充分な光拡散性を確保することができ、且つ、後面のシボ層の表面粗さを前面よりも小さくしたことにより、着色層の密着性が低下する虞が少ない。
【図面の簡単な説明】
【００１０】
【図１】本発明の実施形態を示す指示計器装置の正面図。
【図２】同上実施形態を示す指示計器装置の断面図。
【図３】同上実施形態を示す文字板の要部断面図。
【発明を実施するための形態】
【００１１】
以下、添付の図面に基づいて、本発明を車両用指示計器装置に適用した一実施形態を説明する。
【００１２】
１１はハウジングであり、このハウジング１１には後述する指示計器が収容されている。１２は見返し部材であり、この見返し部材１２は係止爪によりハウジング１１に係止されている。１３は透光性カバーであり、この透光性カバー１３は係止爪により見返し部材１２に係止されている。透光性カバー１３は湾曲した形状となっており、後述する指示計器側に凸となっている。
【００１３】
ハウジング１１には４個の指示計器、即ち、燃料計２１ａ，速度計２１ｂ，回転計２１ｃ，水温計２１ｄが収納されている。速度計２１ｂ及び回転計２１ｃは、燃料計２１ａ及び水温計２１ｄよりも大きくなっており、燃料計２１ａ及び水温計２１ｄの間に配置されている。見返し部材１２は、燃料計２１ａ，速度計２１ｂ，回転計２１ｃ，水温計２１ｄに対応する円形の開口１２ａ，１２ｂ，１２ｃ，１２ｄを有している。
【００１４】
各指示計器２１ａ，２１ｂ，２１ｃ，２１ｄは、文字板２２，リフレクタ２４，指針２５，ステッピングモータ２６，回路基板２７，発光ダイオード等の発光素子２８，２９からなるものである。発光素子２８は文字板２２を透過照明するためものであり、発光素子２９は指針２５の指示部３０を光輝させるためのものである。文字板２２は指針２５の指示部３０に指示される指標部２２ａを有している。発光素子２８及びリフレクタ２４は文字板２２の後方に配置されており、指標部２２ａは発光素子２８が発した光により透過照明される。指針２５はステッピングモータ２６により回動され、文字板２２の指標部２２ａを指示する。
【００１５】
図３は、文字板２２の断面図である。文字板２２は、透光性基板５１，シボ層５２，５３，遮光層５４，赤色層５５，白色層５６，網点層５７を有している。
【００１６】
透光性基板５１は透光性樹脂板からなるものであり、この透光性基板５１の前面及び後面にシボ層５２，５３が形成されている。シボ層５２は、透光性基板５１の前面に形成された微細な凹凸を有する層である。シボ層５２の前面には、何らの層も形成されないため、着色層等の密着性を考慮する必要がなく、シボ層５３よりも表面粗さを大きくでき、光拡散性を確保することが可能である。
【００１７】
シボ層５３は、透光性基板５１の後面に形成された微細な凹凸を有する層である。シボ層５３の後面には、遮光層５４，赤色層５５，白色層５６が形成されるため、シボ層５２よりも表面粗さを小さくすることにより、遮光層５４，赤色層５５，白色層５６の密着性を確保している。
【００１８】
遮光層５４は黒色の印刷層からなるものであり、遮光層５４の開口部５４ａが指標部２２ａになっている。赤色層５５はシボ層１３の後面に形成された赤色インクからなり、この赤色層５５が形成された遮光層５４の開口部５４ｂが文字板２２のレッドゾーンになっている。
【００１９】
白色層５６はシボ層１３の後面に形成された白色インクからなり、この白色層が形成された遮光層５４の開口部５４ａが指標部２２ａになっている。網点層５７は、白色層５６の後面に形成されたドット状の黒色の印刷層からなるものである。網点層５７は、透過照明される文字板２２の明るさを均一にするためのものである。
【００２０】
本実施形態によれば、透光性基板５１の前後にシボ層５２，５３を形成したことにより、文字板２２の艶、及び充分な光拡散性を確保することができ、且つ、第二のシボ層５３の表面粗さを、第一のシボ層５２の表面粗さよりも小さくしたことにより、着色層５５，５６の密着性が低下する虞が少ない。
【符号の説明】
【００２１】
２２    文字板（表示板）
２２ａ  指標部
２５    指針
２６    ステッピングモータ（指針駆動部）
２８    発光素子
５１    透光性基板
５２    シボ層（第一のシボ層）
５３    シボ層（第二のシボ層）
５５    赤色層（着色層）
５６    白色層（着色層）
【図１】
2015082106.tif 000003
【図２】
2015082106.tif 000004
【図３】
2015082106.tif 000005